(57)【要約】【課題】パイプの内部に空間が形成されないように毛管現象生成素材を充填することにより、毛管現象が空気圧によって阻害されることなく、微量かつ一定の灌水を行なうことができ、またパイプの内径全体を有効利用した定量灌水ができ、さらにパイプの灌水側を植物栽培容器の培養土の表面やその上方に配置することができるので、該パイプの設置作業の容易化を図ることができる灌水装置の提供を目的とする。【解決手段】一端４ａが給水部２の水中に浸漬され、他端４ｂが被灌水部に配設されるパイプ４の内部に、空間が形成されないように毛管現象生成素材５を充填した灌水装置であることを特徴とする。【選択図】　　図１
2004073131.tif 000002
【特許請求の範囲】
【請求項１】
一端が給水部の水中に浸漬され、他端が被灌水部に配設されるパイプの内部に、空間が形成されないように毛管現象生成素材を充填した
灌水装置。
【請求項２】
上記パイプの中途部に止水弁または調整弁が介設された
請求項１記載の灌水装置。
【請求項３】
上記パイプには、該パイプの形成を保持する形状保持手段が設けられた
請求項１または２記載の灌水装置。
【請求項４】
上記パイプ一端側の浸漬位置を保持する第１保持手段が設けられた
請求項１，２または３記載の灌水装置。
【請求項５】
上記パイプ他端側の灌水位置を保持する第２保持手段が設けられた
請求項１，２，３または４記載の灌水装置。
【発明の詳細な説明】
【０００１】
【発明の属する技術分野】
この発明は、植木鉢やプランタまたはコンテナなどの植物栽培容器の培養土の表面に水を滴下させるような灌水装置に関する。
【０００２】
【従来の技術】
従来、上述例の灌水装置としては図５に示すように、チューブ５１の内部に給水芯５２を挿通し、この給水芯５２の一端５２ａを給水容器５３内部の水中に浸漬させる一方、給水芯５２の他端５２ｂをコンテナ５４内部の培養土５５の土中に埋設し、給水容器５３の水を給水芯５２を介してコンテナ５４の培養土に灌水すべく構成したものがある（例えば、特許文献１参照）。
【０００３】
【特許文献１】
特開２００２−１２５４９１号公報（［０００７］ブロック、図２）。
【０００４】
【発明が解決しようとする課題】
しかし、上述の給水芯５２は単にチューブ５１内に挿通されたものであって、チューブ５１と給水芯５２との間には空間が存在するので、チューブ５１の灌水側端部を培養土５５の表面に配置または、その上方に離間配置した場合には、給水芯５２による毛細現象（ｃａｐｉｌｌａｒｙ　ｐｈｅｎｏｍｅｎｏｎ）が空気圧により阻害される。
【０００５】
このため、図５に示す如くチューブ５１および給水芯５２の灌水側を土中に埋設する必要があり、この埋設作業が煩わしい問題点があった。
【０００６】
また図５に示す従来装置においては灌水量のコントロールが不可なうえ、上述の各要素５１〜５４をベランダや庭等の屋外に設置すると、風や小動物の挙動その他による外力でチューブ５１が給水容器５３から容易に外れる問題点があった。
【０００７】
この発明は、パイプの内部に空間が形成されないように毛管現象生成素材を充填することにより、毛管現象が空気圧によって阻害されることなく、微量かつ一定の灌水を行なうことができ、またパイプの内径全体を有効利用した定量灌水ができ、さらにパイプの灌水側を植物栽培容器の培養土の表面やその上方に配置することができるので、該パイプの設置作業の容易化を図ることができる灌水装置の提供を目的とする。
【０００８】
【課題を解決するための手段】
この発明による灌水装置は、一端が給水部の水中に浸漬され、他端が被灌水部に配設されるパイプの内部に、空間が形成されないように毛管現象生成素材を充填したものである。
【０００９】
上記構成のパイプはＣｕなどの金属材料、ガラス等の非金属材料、硬質または軟質の合成樹脂材料またはゴムホース、塩化ビニールホース等で構成することができ、また、毛管現象生成素材としては綿または綿撚糸が望ましい。
【００１０】
上記構成によれば、パイプの内部に空間が形成されないように毛管現象生成素材を充填したので、毛管現象がパイプ内部の空間に起因する空気圧によって阻害されることがなく、微量かつ一定の灌水を行なうことができ、またパイプの内径全体を有効利用した定量灌水ができ、しかも、パイプの灌水側を植木鉢等の植物栽培容器の培養土の表面やその上方に配置することができるので、パイプの他端を培養土中に埋設する必要がなく、該パイプの設置作業の容易化を図ることができる。
【００１１】
この発明の一実施態様においては、上記パイプの中途部に止水弁または調整弁が介設されたものである。
上記構成によれば、止水弁または調整弁の操作により、灌水の中止または灌水量の調整を行なうことができる。この結果、栽培される植物の状況や天候状況に対応した適切な灌水を実行することができ、特に、灌水量過多による植物の根腐れ防止を図ることができる。
【００１２】
この発明の一実施態様においては、上記パイプには、該パイプの形成を保持する形状保持手段が設けられたものである。
上記構成によれば、風や小動物の挙動その他による外力またはパイプを構成する素材の復元力によって、該パイプの適切な形状が変形することを防止することができ、特に上記パイプを軟質材料で構成した時に有効となる。
【００１３】
この発明の一実施態様においては、上記パイプ一端側の浸漬位置を保持する第１保持手段が設けられたものである。
上記構成によれば、第１保持手段によりパイプ一端側の適切な浸漬位置を確保することができるので、毛管現象生成素材により水を良好に吸い上げることができる。
【００１４】
この発明の一実施態様においては、上記パイプ他端側の灌水位置を保持する第２保持手段が設けられたものである。
上記構成によれば、第２保持手段によりパイプ他端側の適切な灌水位置を確保することができるので、毛管現象生成素材から水を良好に滴下させることができる。
【００１５】
【実施例】
この発明の一実施例を以下図面に基づいて詳述する。
図面は灌水装置を示し、使用状態の一例を示す図１と、部分拡大断面図を示す図２において、台部材１上に給水部としてのタンク２を設置し、このタンク２内には水Ａ（但し、水に代えて培養液があってもよい）を貯溜している。
【００１６】
上述の台部材１およびタンク２の近傍には植物栽培容器としての植木鉢３を設置し、この植木鉢３内の培養土Ｂにより植物Ｃを栽培する。
この実施例の灌水装置は上記タンク２内の水Ａを、植木鉢３内における培養土Ｂの表面または該表面より上方に離間した位置から該培養土Ｂ上に滴下させるためのものである。
【００１７】
このため、一端４ａがタンク２の水中に浸漬され、他端４ｂが被灌水部としての培養土Ｂの表面またはその上方に配設されるパイプ４を設け、このパイプ４の内部には図２に示すようにその一端４ａから他端４ｂにわたって空間が形成されないように毛管現象生成素材５を充填している。
【００１８】
ここで、上述のパイプ４を構成する材料としては、Ｃｕなどの金属材料、ガラス等の非金属材料、硬質または軟質の合成樹脂材料またはゴムホース、塩化ビニルホース等の材料から任意のものを選定して、パイプ４を構成することができるが、タンク２および植木鉢３のレイアウトの自由度を考慮すると軟質のものが望ましい。なお、パイプ４を金属で構成する場合には、水の活性化を図り、植物Ｃの長寿命化を図るためにＣｕ（銅）が望ましい。
【００１９】
また、上述の毛管現象生成素材５としては綿または綿撚糸などの繊維類が望ましく、天然繊維がさらに望ましい。そして、この毛管現象生成素材５は後述するバルブ配設部位以外のパイプ４全長にわたって充填されるが、バルブ配設部位よりも上流側のみに充填し、バルブ配設部位よりも下流側については非充填とする構成を採用してもよい。
【００２０】
内部に毛管現象生成素材５が充填されたパイプ４は図１に示すように逆Ｕ字状と成してタンク２の水中と植木鉢３の培養土Ｂ上方との間に配設され、このパイプ４の灌水側の中途部には止水弁または調整弁などの手動開閉構造のバルブ６（手動弁）が介設されている。この実施例ではパイプ４の頂点部４ｃから一端４ａまでの長さと、頂点部４ｃから他端４ｂまでの長さを略同等と成しているが、これに限定されるものではなく、例えば、頂点部４ｃから他端４ｂまでの長さの方を長く形成してもよいことは勿論である。
【００２１】
またパイプ４の一端４ａと頂点部４ｃとの間のサクション側におけるタンク２の上端開口部近傍と対応する位置には、パイプ一端４ａ側の浸漬位置を保持する目的でパイプホルダ７を設けている。
【００２２】
このパイプホルダ７は筒部材７ａと、この筒部材７ａに一体形成されたフック７ｂとを備えている。上述の筒部材７ａはパイプ４の外周に対してその長手方向および周方向に移動可能に構成（例えばルーズ嵌合）され、フック７ｂをタンク２の上端口縁に着脱可能に係止することで、タンク２の形状の如何にかかわらずパイプ４の一端４ａ側の浸漬位置を保持することができる。
【００２３】
一方、パイプ４の頂点部４ｃと他端４ｂとの間の灌水側における植木鉢３の上端開口部近傍と対応する位置には、パイプ他端４ｂ側の灌水位置を保持する目的でパイプホルダ８を設けている。
【００２４】
このパイプホルダ８は杭挿入孔８ａを有する筒部材８ｂと、上述の杭挿入孔８ａに着脱自在の挿入される杭部材９とを備えている。上述の筒部材８ｂはパイプ４の外周に対してその長手方向および周方向に移動可能に構成（例えばルーズ嵌合）され、杭挿入孔８ａに挿入した杭部材９の下端側を培養土Ｂ中に差し込むことで、植木鉢３の形状の如何にかかわらずパイプ４の他端４ｂ側の灌水位置を保持することができる。
【００２５】
このように構成した灌水位置によれば、タンク２内の水Ａは毛管現象生成素材５による毛管現象にてパイプ４の一端４ａから頂点部４ｃまで吸い上げられ、頂点部４ｃより下流側については吸い上げられた水Ａが引力によって流下するので、その他端４ｂから微量かつ一定の灌水を、何等動力を必要とすることなく行なうことができる。
【００２６】
パイプ４の内径を１５ｍｍに設定して実験した結果、バルブ６の全開時に約２４時間で２リットル程度の水Ａを定量灌水することができた。なお灌水量はパイプ４の内径に対応して変化するので、このパイプ内径の数値に限定されるものでないことは当然である。
【００２７】
このように上記実施例の灌水装置は、一端４ａが給水部（タンク２参照）の水中に浸漬され、他端４ｂが被灌水部（培養土Ｂの上方参照）に配設されるパイプ４の内部に、空間が形成されないように毛管現象生成素材５を充填したものである。
【００２８】
この構成によれば、パイプ４の内部に空間が形成されないように毛管現象生成素材５を充填したので、毛管現象がパイプ４内部の空間に起因する空気圧によって阻害されることがなく、微量かつ一定の灌水を行なうことができ、またパイプ４の内径全体を有効利用した定量灌水ができ、しかも、パイプ４の灌水側を植木鉢３等の植物栽培容器の培養土Ｂの表面やその上方に配置することができるので、パイプ４の設置作業の容易化を図ることができる。なお、図１ではパイプ４の他端４ｂを培養土Ｂから上方に離反させたが、パイプ４の他端４ｂは培養土Ｂの表面に接触してもよい。
【００２９】
また、上記パイプ４の中途部（この実施例では灌水側の他端４ｂに近接する部分）に止水弁または調整弁（バルブ６参照）が介設されたものである。
この構成によれば、止水弁または調整弁（バルブ６参照）の操作により、灌水の中止または灌水量の調整を行なうことができる。この結果、栽培される植物Ｃの状況または天候状況に対応した適切な灌水を実行することができ、特に、灌水量過多による植物の根腐れ防止を図ることができる。
【００３０】
さらに、上記パイプ一端４ａ側の浸漬位置を保持する第１保持手段（パルプホルダ７参照）が設けられたものである。
この構成によれば、第１保持手段（パルプホルダ７参照）によりパイプ一端４ａ側の適切な浸漬位置を確保することができるので、毛管現象生成素材５により水を良好に吸い上げることができる。
【００３１】
加えて、上記パイプ他端４ｂ側の灌水位置を保持する第２保持手段（パルプホルダ８参照）が設けられたものである。
この構成によれば、第２保持手段（パルプホルダ８参照）によりパイプ他端４ｂ側の適切な灌水位置を確保することができるので、毛管現象生成素材５から水を良好に滴下させることができる。
【００３２】
つまり、上述のパイプホルダ７または／およびパイプホルダ８により、風や小動物の挙動その他による外力に起因してパイプ４の浸漬位置または／および灌水位置が変動するのを防止することができるものである。
【００３３】
図３は灌水装置の他の実施例を示し、パイプ４の内部構造については図１、図２で示した先の実施例と同様であるが、図３に示すこの実施例においてはパイプ４のサクション側において、その一端４ａ近傍を支持するパイプホルダ１０を設けている。
【００３４】
このパイプホルダ１０は筒部材１０ａと、この筒部材１０ａに一体形成された吸盤１０ｂとを備えている。上述の筒部材１０ａはパイプ４の外周に対してその長手方向および周方向に移動可能に構成（例えばルーズ嵌合）され、吸盤１０ｂをタンク２の内壁面に吸着させることで、タンク２の形状の如何にかかわらずパイプ４の一端４ａの浸漬位置を保持することができる。
【００３５】
またパイプ４の灌水側において、その他端４ｂ近傍を支持するクリップ１１を設けている。
このクリップ１１はクリップ本体１１ａと、クリップ爪１１ｂとを備え、クリップ本体１１ａの筒部はパイプ４の外周に対してその長手方向および周方向に移動可能に構成（例えばルーズ嵌合）され、クリップ１１で植木鉢３の上端口縁を着脱可能に挟持することで、植木鉢３の形状の如何にかかわらずパイプ４の他端４ｂの灌水位置を保持することができる。
【００３６】
要するに、上述のパイプホルダ１０または／およびクリップ１１により、風や小動物の挙動その他による外力に起因してパイプ４の浸漬位置または／および灌水位置が位置ずれを変位するのを防止することができるものである。
【００３７】
この図３に示す実施例においても、その他の構成、作用、効果については先の実施例とほぼ同様であるから、図３において前図と同一の部分には同一符号を付して、その詳しい説明を省略する。
【００３８】
図４は灌水装置のさらに他の実施例を示し、パイプ４の内部構造については図１〜図３で示した先の実施例と同様であるが、図４に示すこの実施例においてはパイプ４のサクション側においてその一端４ａと頂点部４ｃとの間の中間部を前述のパイプホルダ１０で支持すると共に、パイプ４の灌水側においてその他端４ｂ近傍を図１で示したパイプホルダ７を用いて植木鉢３の上端口縁部に支持している。
【００３９】
しかも、この実施例においてはタンク２および植木鉢３のレイアウトの自由度向上を図る目的で、パイプ４を軟質合成樹脂、ゴムホース、塩化ビニルホース等の軟質材料または所定内周部分に銅リングを一体化した複合材料で構成し、該パイプ４にはその形状を保持するために形状保持手段を設けている。
【００４０】
つまり、上述のパイプ４の外周に針金（金属を細長く線状に延ばしたもの）等の形状保持部材１２を螺旋状に巻回して、パイプ４の所定形状を保持すべく構成したものである。
【００４１】
このように、上記パイプ４に該パイプ４の形成を保持する形状保持手段（形状保持部材１２参照）が設けると、風や小動物の挙動その他による外力またはパイプ４を構成する素材の復元力によって、該パイプ４の適切な形状が変形することを防止することができ、特に上記パイプ４を軟質材料で構成した場合に有効となる。
【００４２】
この図４で示す実施例においても、その他の構成、作用、効果については先の各実施例とほぼ同様であるから、図４において前図と同一の部分には同一符号を付して、その詳しい説明を省略する。
【００４３】
この発明の構成と、上述の実施例との対応において、
この発明の給水部は、実施例のタンク２に対応し、
以下同様に、
毛管現象生成素材は、綿や綿撚糸などの素材５に対応し、
止水弁または調整弁は、バルブ６に対応し、
形状保持手段は、形状保持部材１２に対応し、
第１保持手段は、パイプホルダ７，１０に対応し、
第２保持手段は、パイプホルダ８、クリップ１１、パイプホルダ７に対応するも、
この発明は、上述の実施例の構成のみに限定されるものではない。
【００４４】
例えば、上記第１、第２保持手段をパイプ４の所定部に一体または一体的に固定してもよい。また上記各実施例においては植物栽培容器として植木鉢３を例示したが、これはプランタやコンテナなどの他の植物栽培容器であってもよく、給水部はタンク２に代えて水路であってもよい。
【００４５】
【発明の効果】
この発明によれば、パイプの内部に空間が形成されないように毛管現象生成素材を充填したので、毛管現象が空気圧によって阻害されることなく、微量かつ一定の灌水を行なうことができ、またパイプの内径全体を有効利用した定量灌水ができ、さらにパイプの灌水側を植物栽培容器の培養土の表面やその上方に配置することができるので、該パイプの設置作業の容易化を図ることができる効果がある。
【図面の簡単な説明】
【図１】本発明の灌水装置の使用状態を示す説明図。
【図２】パイプの内部構造を示す部分拡大図。
【図３】灌水装置の他の実施例を示す説明図。
【図４】灌水装置のさらに他の実施例を示す説明図。
【図５】従来の灌水装置を示す説明図。
【符号の説明】
２…タンク（給水部）
４…パイプ
４ａ…一端
４ｂ…他端
５…毛管現象生成素材
６…バルブ
７，８，１０…パイプホルダ（保持手段）
１１…クリップ（保持手段）
１２…形状保持部材（形状保持手段）
【図１】
2004073131.tif 000003
【図２】
2004073131.tif 000004
【図３】
2004073131.tif 000005
【図４】
2004073131.tif 000006
【図５】
2004073131.tif 000007